【事件の表示】
　特願２００８−１１９２１９号「接点装置」拒絶査定不服審判事件〔平成２１年１１月１９日出願公開、特開２００９−２７２０６２号〕について、次のとおり審決する。
【結　論】
　本件審判の請求は、成り立たない。
【理　由】
１　手続の経緯、本願発明
　本願は、平成２０年４月３０日の出願であって、平成２５年３月１９日付けで拒絶査定がされ、これに対し、平成２５年６月２６日に拒絶査定に対する不服の審判が請求されると同時に手続補正がされ、その後当審において平成２６年３月６日付けで拒絶の理由を通知したところ、平成２６年５月１２日付けで特許請求の範囲及び明細書を対象とする手続補正がなされるとともに意見書が提出された。
　　　　　
　そして、本願の各請求項に係る発明は、平成２６年５月１２日付けで補正された特許請求の範囲の請求項１〜３に記載された事項により特定されるとおりのものであるところ、そのうちの請求項１に係る発明（以下「本願発明」という。）は、次のとおりである。
「【請求項１】
　入出力に対応した一対の端子部と、固定接点を有し一方の端子部と接続される端子板と、固定接点と接離する可動接点を有し他方の端子部と接続される可動接触子とが一乃至複数の極毎に器体に収納され、各可動接点が各固定接点に接触した際の接圧を付与する接圧ばねを各可動接触子との間に保持した状態で各可動接触子を支持するとともに各可動接触子を連動して動作させるクロスバーと、オン位置とオフ位置との間で回動自在なハンドルを有するとともにハンドルの回動動作をクロスバーに伝達することにより各可動接点を各固定接点に接離させる複数のリンク部材から成る開閉機構と、開閉機構の均衡を崩す方向の勢力を蓄積した状態で開閉機構の均衡を保持するラッチ部材と、固定接点および可動接点間に過電流が流れるとラッチ部材を駆動して開閉機構の均衡を崩し、可動接点を固定接点から強制的に開極させる過電流遮断機構とを備えた接点装置であって、クロスバーは、自身に設けられた軸部を軸として可動接点が固定接点と接触する位置と離れる位置との間で回動自在であって、強制開極時にクロスバーの軸部と各固定接点との間に介在するようにクロスバーの回動及び可動接触子の回転に伴って位置が変わり、強制開極時に発生するアークの一部でクロスバーの軸部側へ飛散するアークを遮断する遮断壁を設けたことを特徴とする接点装置。」
　　　　　
２　引用文献及びその記載事項
（１）　当審の拒絶の理由に引用され、本願出願日前に頒布された刊行物である特許第２７３４６１５号公報（以下「引用文献１」という。）には、図面とともに次の事項が記載されている。
　　　　　
　ア　「〔実施例〕
　以下、本発明を一実施例として掲げた図面第１図乃至第４図に基づき説明する。この一実施例は回路遮断器に使用したもので、本発明の接点装置１を除く回路遮断器の構成は、既に出願人が提案した特願昭63−73708号のものと略同等である。
　その全体の構成を第２図に基づき簡便に説明すると、この回路遮断器は、器体２の両側に電源側端子装置３及び負荷側端子装置４を装備し、この電源側端子装置３側に配置された接点装置１と、この接点装置１に流れる短絡電流或いは過負荷電流等の過電流を検出するオイルダッシュポット型電磁石装置でなる負荷側端子装置４側に装備された過電流検出装置５と、器体１の上面より突出させた操作ハンドル６の操作に連動して接点装置１を開閉駆動すると共に接点装置１が閉極状態の時に過電流検出装置５に応動して接点装置１を強制的に開極する開閉機構部７とを収納している。
　また、この回路遮断器は、接点装置１と電源側端子装置３と負荷側端子装置４と過電流検出装置５とを各極毎に装備し、操作ハンドル６を含む開閉機構部７を各極共通にして各々の過電流検出装置５及び接点装置１に連動させる構成となっている。
　しかして、本発明の接点装置１は、以下の構成からなる。
　すなわち、固定接点板８は、例えば銅或いは銅合金の如き導電材料で構成され、電源側端子装置３の端子ネジ９を螺合するネジ孔10を形成した端子片11と、例えば銀或いは銀合金の如き固定接点板８よりも耐アーク性の高い導電材料で構成された固定接点12を固着した接点片13と、端子片11及び接点片13を結合する垂直片14と略Ｚ型に構成し器体２に嵌め込んで装着している。
　・・・（中略）・・・
　この可動接点板26は、例えば銅或いは銅合金の如き導電材料で構成され、先端下面に接点取付座27を形成している。
　この接点取付座27には、例えば銀或いは銀合金の如き可動接点板26よりも耐アーク性の高い導電材料で構成された可動接点28が固着され、固定接点12と対向する。
　さらに、可動接点26には、例えば鉄、ステンレス等の可動接点板26よりも高溶融温度の導電材料で構成された電極片29が装備される。
　・・・（中略）・・・
　また、可動接点板26は、その中央に枢支軸32を装備し、他端にはばね受けピン33を設けると共に異常電流検出装置５への接続用編組線34が接続される。
　この可動接点板26は、開閉機構部７に作用されて回転軸部35を中心に回転する器体２に装備された各極連動用絶縁物製クロスバー36に枢支軸32を保持されて、回転自在に装備されると共に、クロスバー36とばね受けピン33との間に縮設したばね37により付勢される。
　このばね37による付勢方向は、クロスバー36とばね37とが接する点Ａと、ばね受けピン33とばね37とが接する点Ｂと、枢支軸32の点Ｃとの３点の位置により決定され、通常の開閉状態では点Ａと点Ｃを結ぶ線上より点Ｂは上方に位置して可動接点板26を反時計回りに付勢し、過電流の発生時には電磁反発力で可動接点板26がばね37の作用に反して時計回りに回転し、点Ａと点Ｃを結ぶ線上より点Ｂは下方に位置して可動接点板26を時計回りに付勢する。尚、可動接点板26の時計回りに付勢された状態は、開閉機構部７の開極動作に伴い、可動接点板26が跳上り防止片38に当接して元の反時計回り方向の状態に反転する。
　しかして、操作ハンドル６の閉極操作に連動して開閉機構部７がクロスバー36を回転軸部35を中心に反時計方向に回転して可動接点板26を可動させ、可動接点28が固定接点12と当接し、ばね37が縮まって接点12、28間に接点圧が付与されると共に、操作ハンドル６の開極操作または過電流検出装置５に応動して開閉機構部７がクロスバー36を回転軸部35を中心に時計方向に回転して可動接点板26を可動させ、固定接点12から可動接点28を開離する。」（第４欄第６行〜第６欄第５行）
　　　　　
　イ　第２図を参照すると、操作ハンドル６は、操作ハンドル６と可動接点板２６の枢支軸３２との間に設けられた複数の部材を介して可動接点２６の枢支軸３２を操作するようになっている。
　　　　　
　ウ　第２図を参照すると、過電流検出装置５として、コイル状のものが巻装された部材、及び、該部材の上方にバネを備えた部材が記載されている。
　　　　　
　エ　上記の記載事項及び図面の記載を総合すると、引用文献１には次の発明（以下「引用発明」という。）が実質的に記載されている。
　「回路遮断器は、器体２の両側に電源側端子装置３及び負荷側端子装置４を装備し、
　この電源側端子装置３側に配置された接点装置１と、この接点装置１に流れる短絡電流或いは過負荷電流等の過電流を検出するオイルダッシュポット型電磁石装置でなる負荷側端子装置４側に装備された過電流検出装置５と、
　操作ハンドル６の操作に連動して接点装置１を開閉駆動すると共に接点装置１が閉極状態の時に過電流検出装置５に応動して接点装置１を強制的に開極する開閉機構部７とを収納し、
　この回路遮断器は、接点装置１と電源側端子装置３と負荷側端子装置４と過電流検出装置５とを各極毎に装備し、
　固定接点板８は、電源側端子装置３の端子ネジ９を螺合するネジ孔１０を形成した端子片１１と、固定接点１２を固着した接点片１３と、端子片１１及び接点片１３を結合する垂直片１４と略Ｚ型に構成し器体２に嵌め込んで装着されており、
  可動接点板２６には、可動接点２８が固着されており、
　可動接点板２６は、その中央に枢支軸３２を装備し、他端にはばね受けピン３３を設けると共に異常電流検出装置５への接続用編組線３４が接続され、
  可動接点板２６は、開閉機構部７に作用されて回転軸部３５を中心に回転する器体２に装備された各極連動用絶縁物製クロスバー３６に枢支軸３２を保持されて、回転自在に装備されると共に、クロスバー３６とばね受けピン３３との間に縮設したばね３７により付勢され、
　操作ハンドル６の閉極操作に連動して開閉機構部７がクロスバー３６を回転軸部３５を中心に反時計方向に回転して可動接点板２６を可動させ、可動接点２８が固定接点１２と当接し、ばね３７が縮まって接点１２、２８間に接点圧が付与されると共に、操作ハンドル６の開極操作または過電流検出装置５に応動して開閉機構部７がクロスバー３６を回転軸部３５を中心に時計方向に回転して可動接点板２６を可動させ、固定接点１２から可動接点２８を開離し、
　操作ハンドル６は、操作ハンドル６と可動接点板２６の枢支軸３２との間に設けられた複数の部材を介して可動接点２６の枢支軸３２を操作するようになっている、
　接点装置。」
　　　　　
（２）　当審の拒絶の理由に引用され、本願出願日前に頒布された刊行物である特開平１０−２８３９０２号公報（以下「引用文献２」という。）には、図面とともに次の事項が記載されている。
　　　　　
　ア　「【０００２】
【従来の技術】一般にこの種の回路遮断器では、
　・・・（中略）・・・
　また、接点部に過大電流が通過して電磁引外素子５など作動したときに、クロスバー４が回転すると、この回転によって接点圧ばね４３のばね力の作用方向が反転することがないようにクロスバー４により可動接触子２５の回転量を規制している。」
　　　　　
　イ　「【００１７】電磁引外素子５は、コイル５１の巻装されたオイルダッシュポット５２を備え、オイルダッシュポット５２の一端部に磁気結合された略Ｌ字形のヨーク５３に揺動自在に取り付けたアマチュア５４を、コイルスプリングよりなる復帰ばね５５によりオイルダッシュポット５２の他端部から離れる向きに付勢する構成を有したものである。　・・・（以下略）・・・　」
　　　　　
　ウ　「【００２３】次に、動作について簡単に説明する。図１はハンドル３１をオフ位置（図の左端位置）に倒して接点部を開極させている状態であって、この状態から図１０のようにハンドル３１をオン位置（図の右端位置）に倒すと遮断開閉機構３を介してリンク３２が可動接触子２５に下向きの押力を作用させ、遮断開閉機構３はその状態でラッチされる。
　・・・（中略）・・・
【００２４】ところで、遮断開閉機構３は、各電磁引外素子５のアマチュア５４に対応する部位に、アマチュア５４がオイルダッシュポット５２に吸引されたときにアマチュア５４に蹴られることにより回転する連動バー３３を備える。アマチュア５４に蹴られて連動バー３３が回転すると遮断開閉機構３のラッチが解除され、図１１に示すように、可動接点２２を固定接点２１から引き離す。
　・・・（中略）・・・
【００２５】上述のようにして接触圧ばね４３を反転させることなく可動接点２２が固定接点２１から開極し、遮断開閉機構３により可動接触子２５がさらに上方に引き上げられて図１２のような状態に至るのである。ところで、上述した動作は、定格よりも大きな電流が流れて電磁引外素子５の動作した場合についてのものであるが、　・・・（以下略）・・・　」
　　　　　
　エ　「【００２６】
【発明の効果】請求項１の発明は、器体に固定された固定接点および固定接点に離接する可動接点とにより構成された接点部と、器体に対して回動自在となるように軸支されたクロスバーと、クロスバーに対して中間部が軸支され一端部に可動接点を備える可動接触子と、クロスバーと可動接触子との間に介装され接点部の閉極状態で接点圧を高める向きに可動接触子を付勢する接点圧ばねと、接点部を通る電路に異常電流が流れると接点部を開極させるようにクロスバーを回転させる遮断開閉機構とを備え、　・・・（以下略）・・・　」
　　　　　
　オ　図１、４、５を参照すると、電磁引外素子５として、コイル５１の巻装されたオイルダッシュポッド５２、復帰バネ５５を備えたアマチュア５４が記載されている。
　　　　　
（３）　当審の拒絶の理由に引用され、本願出願日前に頒布された刊行物である欧州特許出願公開第１８５８０４１号明細書（以下「引用文献３」という。）には、図面とともに次の事項が記載されている。
　　　　　
　ア　「The shield 100 of the movable contact assembly 50 generally comprises an elongated barrier element 102 coupled to the crossbar 12 of operating mechanism 10. The elongated barrier element 102 is structured to shield at least the spring 14 (Figures 1 and 4) of the movable contact assembly 50 from an arc when the movable contact 6 separates from the stationary contact 8 (Figure 1). 　・・・（中略）・・・　To resist such circumstances, the shield 100 provides a barrier element 102 disposed between the spring 14 and the separable contacts 6, 8 where the arc originates.」（第５欄第５０行〜第６欄第１０行）
｛可動接点組立体５０のシールド１００は、作動機構１０のクロスバー１２に結合された細長い遮蔽要素１０２から構成される。細長い遮蔽要素１０２は、可動接点６が固定接点８（図１）から離れる際のアークから、可動接点組立体５０の、少なくともスプリング１４（図１及び４）を、遮蔽するように構成されている。　・・・（中略）・・・　このような状況を抑えるために、シールド１００は、アークが発生する分離可能な接点６、８と、スプリング１４との間に配置された遮蔽要素１０２を与える。｝（｛｝内は当審による翻訳文）
　　　　　
　イ　ＦＩＧ．１〜４を参照すると、細長い遮蔽要素１０２が、クロスバー１２の固定接点８及び可動接点６に向いた側に取りつけたものが記載されている。
　　　　　
３　対比
　本願発明と引用発明とを対比する。
　　　　　
（１）　一致点について
　ア　引用発明の「電源側端子装置」は、本願発明の「一方の端子部」に相当する。
　以下、同様に、「負荷側端子部」は「他方の端子部」に、「固定接点１２」は「固定接点」に、「固定接点板８」は「端子板」に、「可動接点２８」は「可動接点」に、「可動接点板２６」は「可動接触子」に、「器体２」は「器体」に、「ばね３７」は「接圧ばね」に、「クロスバー３６」は「クロスバー」に、「操作ハンドル６」は「ハンドル」に、「操作ハンドル６と可動接点板２６の枢支軸３２との間に設けられた複数の部材」は「複数のリンク部材」に、「開閉機構部７」は「開閉機構」に、「接点装置１」は「接点装置」に、「回転軸部３５」は「クロスバーの軸部」に、それぞれ相当する。
　　　　　
　イ　引用発明では、「器体２の両側に電源側端子装置３及び負荷側端子装置４を装備」しているから、引用発明は本願発明の「入出力に対応した一対の端子部」との構成を備える。
　　　　　
　ウ　引用発明では、「固定接点板８は、電源側端子装置３の端子ネジ９を螺合するネジ孔１０を形成した端子片１１と、固定接点１２を固着した接点片１３と、端子片１１及び接点片１３を結合する垂直片１４と略Ｚ型に構成し器体２に嵌め込んで装着」されているから、引用発明は本願発明の「固定接点を有し一方の端子部と接続される端子板」との構成を備える。
　　　　　
　エ　引用発明では、「可動接点板２６には、可動接点２８が固着されて」おり、また、「可動接点２８が固定接点１２と当接」及び「固定接点１２から可動接点２８を開離」することが行われ、さらに、可動接点板２６には、「異常電流検出装置５への接続用編組線３４が接続され」ており、この過電流検出装置５は「負荷側端子装置４側に装備」されているから、引用発明は本願発明の「固定接点と接離する可動接点を有し他方の端子部と接続される可動接触子」との構成を備える。
　　　　　
　オ　前記「イ〜エ」の事項に加え、引用発明では、「回路遮断器は、接点装置１と電源側端子装置３と負荷側端子装置４と過電流検出装置５とを各極毎に装備」しているから、引用発明は本願発明の「入出力に対応した一対の端子部と、固定接点を有し一方の端子部と接続される端子板と、固定接点と接離する可動接点を有し他方の端子部と接続される可動接触子とが一乃至複数の極毎に器体に収納され」との構成を備える。
　　　　　
　カ  引用発明では、「可動接点板２６は、開閉機構部７に作用されて回転軸部３５を中心に回転する器体２に装備された各極連動用絶縁物製クロスバー３６に枢支軸３２を保持されて、回転自在に装備されると共に、クロスバー３６とばね受けピン３３との間に縮設したばね３７により付勢され、操作ハンドル６の閉極操作に連動して開閉機構部７がクロスバー３６を回転軸部３５を中心に反時計方向に回転して可動接点板２６を可動させ、可動接点２８が固定接点１２と当接し、ばね３７が縮まって接点１２、２８間に接点圧が付与されると共に、操作ハンドル６の開極操作または過電流検出装置５に応動して開閉機構部７がクロスバー３６を回転軸部３５を中心に時計方向に回転して可動接点板２６を可動させ、固定接点１２から可動接点２８を開離」するようになっているから、引用発明は本願発明の「各可動接点が各固定接点に接触した際の接圧を付与する接圧ばねを各可動接触子との間に保持した状態で各可動接触子を支持するとともに各可動接触子を連動して動作させるクロスバー」、及び、「クロスバーは、自身に設けられた軸部を軸として可動接点が固定接点と接触する位置と離れる位置との間で回動自在」との構成を備える。
　　　　　
　キ　前記「カ」の事項に加え、引用発明では、「操作ハンドル６は、操作ハンドル６と可動接点板２６の枢支軸３２との間に設けられた複数の部材を介して可動接点２６の枢支軸３２を操作する」ようになっているから、引用発明は本願発明の「オン位置とオフ位置との間で回動自在なハンドルを有するとともにハンドルの回動動作をクロスバーに伝達することにより各可動接点を各固定接点に接離させる複数のリンク部材から成る開閉機構」との構成を備える。
　　　　　
　ク　以上のことから、本願発明と引用発明とは次の点で一致する。
　「入出力に対応した一対の端子部と、固定接点を有し一方の端子部と接続される端子板と、固定接点と接離する可動接点を有し他方の端子部と接続される可動接触子とが一乃至複数の極毎に器体に収納され、各可動接点が各固定接点に接触した際の接圧を付与する接圧ばねを各可動接触子との間に保持した状態で各可動接触子を支持するとともに各可動接触子を連動して動作させるクロスバーと、オン位置とオフ位置との間で回動自在なハンドルを有するとともにハンドルの回動動作をクロスバーに伝達することにより各可動接点を各固定接点に接離させる複数のリンク部材から成る開閉機構とを備えた接点装置であって、クロスバーは、自身に設けられた軸部を軸として可動接点が固定接点と接触する位置と離れる位置との間で回動自在である、接点装置。」
 　　　　　 
（２）　相違点について
　一方で、両者は次の点で相違する。 
［相違点１］ 
　本願発明では、「開閉機構の均衡を崩す方向の勢力を蓄積した状態で開閉機構の均衡を保持するラッチ部材と、固定接点および可動接点間に過電流が流れるとラッチ部材を駆動して開閉機構の均衡を崩し、可動接点を固定接点から強制的に開極させる過電流遮断機構」との構成を備えているのに対して、引用発明では、「接点装置１に流れる短絡電流或いは過負荷電流等の過電流を検出するオイルダッシュポット型電磁石装置でなる負荷側端子装置４側に装備された過電流検出装置５と、操作ハンドル６の操作に連動して接点装置１を開閉駆動すると共に接点装置１が閉極状態の時に過電流検出装置５に応動して接点装置１を強制的に開極する開閉機構部７」を備えてはいるものの、過電流検出装置５等についての具体的な説明が記載されていないから、上記構成を備えているかどうか不明な点。
　　　　　
［相違点２］ 
　クロスバーについて、本願発明では、「強制開極時にクロスバーの軸部と各固定接点との間に介在するようにクロスバーの回動及び可動接触子の回転に伴って位置が変わり、強制開極時に発生するアークの一部でクロスバーの軸部側へ飛散するアークを遮断する遮断壁」を設けているのに対して、引用発明では、このような遮断壁を設けていない点。 
　　　　　
４　判断
　上記相違点について検討する。
［相違点１］について
　引用文献２には、接点部を通る電路に異常電流（定格よりも大きな電流。本願発明の「過電流」に相当。）が流れると、アマチュア、遮断開閉機構のラッチ（本願発明の「ラッチ部材」に相当。）等を介して接点部を開極させるようにクロスバーを回転させる遮断開閉機構を設けたものが記載されているから（前記「２（２）」を参照。）、引用文献２には、本願の上記相違点１に係る構成に相当する構成が実質的に記載されている。すると、引用発明において、本願発明の上記相違点１に係る構成とすることは、引用文献２記載の事項から、当業者が容易になし得たものといえる。 
　　　　　
　また、引用文献２の図１〜１３には、コイル、アマチュア、バネ等として、引用文献１の第２図に記載された過電流検出装置等と略同じ形状のものが記載されている（前記「２（１）ウ」及び「２（２）オ」についても参照。）。すると、引用発明の過電流検出装置及び開閉機構部は、引用文献２記載のものと同じであると解されるから、引用発明は、本願発明の上記相違点１に係る構成に相当する構成を、実質的に備えている。
　　　　　
　以上のことから、引用発明において本願発明の上記相違点１に係る構成とすることは、引用文献２記載の事項から当業者が容易になし得たものであり、また、本願発明の上記相違点１に係る構成は、引用発明も実質的に備えている構成でもある。
　　　　
［相違点２］について 
　引用文献３には、細長い遮蔽要素１０２（本願発明の「遮断壁」に相当。）を、クロスバー１２の固定接点８及び可動接点６に向いた側に設けることにより、可動接点６が固定接点８から離れる際のアークから、可動接点組立体５０の少なくともスプリング１４（本願発明の「接圧ばね」に相当。引用発明の「ばね３７」に相当。）を遮蔽するように構成されている（前記「２（２）」を参照。）。
　すると、引用発明において、細長い遮蔽要素を、クロスバーの固定接点及び可動接点に向いた側に設けることは、引用文献３に記載された事項から、当業者が容易になし得たものといえる。
　　　　　
　ところで、引用発明は、「操作ハンドル６の開極操作または過電流検出装置５に応動して開閉機構部７がクロスバー３６を回転軸部３５を中心に時計方向に回転して可動接点板２６を可動させ、固定接点１２から可動接点２８を開離」するものである。ここで、引用発明の「操作ハンドル６の開極操作または過電流検出装置５に応動」させることは、本願発明の「強制開極」に相当し、また、引用発明の「開閉機構部７がクロスバー３６を回転軸部３５を中心に時計方向に回転して可動接点板２６を可動させ」ることは、本願発明の「クロスバーの回動及び可動接触子の回転」に相当する。すると、引用発明において、前記のように、細長い遮蔽要素を、クロスバーの固定接点及び可動接点に向いた側に設けた場合には、上記遮蔽要素は、「強制開極時に」、「クロスバーの回動及び可動接触子の回転に伴って位置が変わ」るものとなる。
　また、引用文献１の第２図における断面正面図を参照すれば、ばね３７とクロスバー３６の回転軸部３５とは略同じ位置に設けられており、更に、第１〜３図を参照すれば、アークが発生する分離可能な固定接点１２及び可動接点２８と、クロスバーの回転軸部３５との間に、クロスバーの固定接点１２及び可動接点２８に向いた側の一部が、重なるような位置関係（本願発明でいう「介在する」ことに相当。）にあるといえる（必要であれば、引用文献１の第４欄第８〜１１行において「この一実施例は回路遮断器に使用したもので、本発明の接点装置１を除く回路遮断器の構成は、既に出願人が提案した特願昭63− 73708号のものと略同等である。」と記載された、「特願昭６３−７３７０８号」の公開公報である特開平１−２４６７４０号公報の第１図についても参照。）。
　すると、引用発明において、前記のように、細長い遮蔽要素を、クロスバーの固定接点及び可動接点に向いた側に設けた場合には、上記遮蔽要素は、「強制開極時にクロスバーの軸部と各固定接点との間に介在するようにクロスバーの回動及び可動接触子の回転に伴って位置が変わり、強制開極時に発生するアークの一部でクロスバーの軸部側へ飛散するアークを遮断」するものとなる。
　　　　　
　したがって、引用発明において、本願発明の上記相違点２に係る構成とすることは、引用文献３記載の事項から、当業者が容易になし得たものといえる。
　　　　　
　そして、本願発明により得られる作用効果も、引用発明及び引用文献２〜３記載の事項から当業者であれば予測できる程度のものであって、格別のものとはいえない。 
　以上のことから、本願発明は、引用発明及び引用文献２〜３記載の事項に基づいて当業者が容易に発明をすることができたものである。  
　　　　　
５　むすび  
　以上のとおり、本願発明（請求項１に係る発明）は、引用発明及び引用文献２〜３記載の事項に基づいて当業者が容易に発明をすることができたものであり、特許法第２９条第２項の規定により特許を受けることができないから、他の請求項に係る発明について検討するまでもなく、本願は拒絶されるべきものである。　　　　　
　よって、結論のとおり審決する。